(57)【要約】【課題】  タイムラプス撮影における合焦音と撮影時の撮影カウント音を発音する場合に、ユーザーに混乱を与えることを抑制する。【解決手段】ユーザーが任意に設定した撮影間隔で撮影された複数の画像データから一つの動画ファイルを作成するタイムラプス撮影が可能な撮像装置であって、オートフォーカス開始を指示する為のオートフォーカス開始指示部材と、撮影開始を指示する為の撮影開始指示部材と、合焦判定に関する合焦音およびタイムラプス撮影時の撮影カウントに関するカウント音を発音する発音手段と、タイムラプス撮影の為の撮影回数を設定する設定手段と、撮影指示の回数を記憶する記憶手段と、を有し、発音手段は、タイムラプス撮影での１回目撮影時には、合焦音を発音しカウント音を発音せず、２回目以降の撮影時にはカウント音を発音することを特徴とする構成とした。【選択図】  図３
2018107560.tif 000002
【特許請求の範囲】
【請求項１】
ユーザーが任意に設定した撮影間隔で撮影された複数の画像データから一つの動画ファイルを作成するタイムラプス撮影が可能な撮像装置であって、
オートフォーカス開始を指示する為のオートフォーカス開始指示部材と、
撮影開始を指示する為の撮影開始指示部材と、
合焦判定に関する合焦音およびタイムラプス撮影時の撮影カウントに関するカウント音を発音する発音手段と、
タイムラプス撮影の為の撮影回数を設定する設定手段と、
撮影指示の回数を記憶する記憶手段と、
を有し、
前記発音手段は、タイムラプス撮影での１回目撮影時には、前記合焦音を発音し前記カウント音を発音せず、２回目以降の撮影時には前記カウント音を発音することを特徴とする撮像装置。
【請求項２】
前記発音手段は、マニュアルフォーカスでの操作指示されている場合に、撮影カウント音の発音を優先して、合焦指示が発生していても合焦音を発音せずに撮影カウント音を発音することを特徴とする請求項１に記載の撮像装置。
【請求項３】
ユーザーが任意に設定した撮影間隔で撮影された複数の画像データから一つの動画ファイルを作成するタイムラプス撮影が可能な撮像装置であって、
オートフォーカス開始を指示する為のオートフォーカス開始指示部材と、
撮影開始を指示する為の撮影開始指示部材と、
合焦判定に関する合焦音およびタイムラプス撮影時に電子的なシャッター音を発音する発音手段と、
タイムラプス撮影の為の撮影回数を設定する設定手段と、
撮影指示の回数を記憶する記憶手段と、
を有し、
前記発音手段は、タイムラプス撮影での１回目撮影時には、前記合焦音を発音し前記シャッター音を発音せず、２回目以降の撮影時には前記シャッター音を発音することを特徴とする撮像装置。
【発明の詳細な説明】
【技術分野】
【０００１】
本発明は、タイムラプス撮影における合焦音と撮影時の撮影カウント音を発音可能な撮像装置に関する。
【背景技術】
【０００２】
近年、静止画を組み合わせて動画を作成するタイムラプス動画機能を搭載したカメラが増えつつある。タイムラプス動画では、撮影回数と撮影間隔を設定し、撮影された画像をつなぎ合わせて動画を作ることで、実時間よりも短い動画を作成することができる。特許文献１には、タイムラプス撮影中において、タイムラプス設定における残り撮影回数をユーザーに知らせる技術について提案されている。
【先行技術文献】
【特許文献】
【０００３】
【特許文献１】特開２０１６−９２７９６号公報
【発明の概要】
【発明が解決しようとする課題】
【０００４】
ここで、カメラ機能でタイムラプス撮影を実行する際には、長期間の連続撮影が行えるようカメラの消費電力を抑えるために、TFT液晶表示など消費電力が大きいデバイスは必要最小限に動作させるようにしたい。加えて、発光するデバイスの動作も撮影に重なるタイミングでは使いたくない。意図しない光源の影響を撮影する画像に与えないようにするためである。 
【０００５】
以上の理由から、タイムラプス撮影がなされたことをユーザーに伝える方法として「音」を使うことができる。例えば、タイムラプス撮影の開始前に測光と合焦判定を行い、その後はピント位置固定で撮影を繰り返す場合を想定する。このとき、AFまたはMFでも合焦するとカメラは合焦音を鳴らしてユーザに合焦を知らせるが、ユーザーが意図しないタイミングでタイムラプス１枚目のカウント音が合焦音に続いて鳴ってしまうと、合焦したのか、撮影されたのか明確に伝えられず、ユーザーに混乱を与えてしまう。
【０００６】
本発明の目的は、タイムラプス撮影における合焦音と撮影時の撮影カウント音を発音する場合に、ユーザーに混乱を与えることを抑制することである。
【課題を解決するための手段】
【０００７】
上記目的を達成するための本発明の撮像装置は、ユーザーが任意に設定した撮影間隔で撮影された複数の画像データから一つの動画ファイルを作成するタイムラプス撮影が可能な撮像装置であって、オートフォーカス開始を指示する為のオートフォーカス開始指示部材と、撮影開始を指示する為の撮影開始指示部材と、合焦判定に関する合焦音およびタイムラプス撮影時の撮影カウントに関するカウント音を発音する発音手段と、タイムラプス撮影の為の撮影回数を設定する設定手段と、撮影指示の回数を記憶する記憶手段と、を有し、前記発音手段は、タイムラプス撮影での１回目撮影時には、前記合焦音を発音し前記カウント音を発音せず、２回目以降の撮影時には前記カウント音を発音することを特徴とする。
【発明の効果】
【０００８】
本発明によれば、タイムラプス撮影における合焦音と撮影時の撮影カウント音を発音する場合に、ユーザーに混乱を与えることを抑制することができる。 
【図面の簡単な説明】
【０００９】
【図１】外観図
【図２】ハードウェアブロック図
【図３】タイムラプス撮影にて、２回目以降にカウント音を発する処理のフローチャート
【図４】タイムラプス撮影にて、レリーズ音に電子音を発する場合の処理のフローチャート
【発明を実施するための形態】
【００１０】
以下、図面を参照して本発明の好適な実施形態を説明する。図１に本発明の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。コントローラホイール７３は操作部７０に含まれる回転操作可能な操作部材である。
【００１１】
７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１２】
図２は、本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。また、撮像部２２は撮像素子に付着した汚れを除去するクリーニング機能を備えている。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１３】
バリア１０２は、デジタルカメラ１００の、撮影レンズ１０３を含む撮像系を覆うことにより、撮影レンズ１０３、シャッター１０１、撮像部２２を含む撮像系の汚れや破損を防止する。画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。
【００１４】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理、ＩＳＯ感度処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１６】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
【００１７】
Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。画像データや音声データ、発音用電子データ、その他のデータなども記憶される。
【００１９】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。発音部５４は音を発する部材である。ブザー、および電子音を発するスピーカーも含まれる。モード切替スイッチ６０、第１シャッタースイッチ６２、第２シャッタースイッチ６４、操作部７０はシステム制御部５０に各種の動作指示を入力するための操作手段である。
【００２１】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。
【００２２】
あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。またこの時、ユーザーによる設定で、タイムラプス撮影を行う設定になっていた場合、第２シャッタースイッチ６２の全押しは、画像の撮影と同時に、タイムラプス開始釦として機能する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、ＩＮＦＯボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２６】
例えば、ユーザーの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザーの指の回転動作などを検出するものであってもよい（いわゆる、タッチホイール）。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。センサ４０は加速度センサ、接顔センサなどのセンサである。
【００２９】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００３０】
顔検出機能について説明する。システム制御部５０は顔検出対象の画像データを画像処理部２０に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。
【００３１】
その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をメモリ５２に記憶する。
【００３２】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
【００３３】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００３４】
［実施例１］
以下、本発明の実施例１による、タイムラプス撮影発音指示処理について図３のシーケンスを参照して説明する。システム制御部５０は、ユーザー指示を受けてタイムラプス撮影状態に遷移すると、合焦判定されたか否かを判断する。合焦と判定すると合焦音を鳴らすよう発音部５４を制御する（Ｓ３０１、Ｓ３０２）。
【００３５】
システム制御部５０は、タイムラプス撮影を開始して第２シャッタースイッチ６２の全押しを判断すると即座に撮影指示を行い、撮影を行う。１回目の撮影指示後は、ユーザーによって指定された時間間隔経過をカウントするようにシステムタイマー５３を作動させて、所定時間経過後に撮影指示を行う。ユーザーによって指定された回数分の撮影指示を行いタイムラプス撮影を繰り返す。所定回数分の撮影完了、またはユーザー指示によって撮影終了されると撮影終了と判断して、撮影を終了する（Ｓ３０３、Ｓ３０７）。
【００３６】
タイムラプス撮影にて撮影指示があったと判断すると、システム制御部５０はタイムラプス撮影が２回目以降であるか否かを判断する。２回目以降である場合には、発音部５４へタイムラプス撮影のカウント音を発音するように指示し、カウント音を鳴らす（Ｓ３０４、Ｓ３０５、Ｓ３０６）。タイムラプス撮影終了指示が発生していれば、タイムラプス撮影を終了する（Ｓ４０６）。
【００３７】
尚、デジタルカメラ１００について、ユーザー指示によってマニュアルフォーカスとされている場合には、システム制御部５０はＳ３０１、Ｓ３０２での合焦判定と合焦音の発音をおこなわなくてもよい。この場合は、Ｓ３０５のタイムラプス撮影が２回目以降であるか否かの判定は行わず、システム制御部５０が撮影指示を発生させると、発音部５４へタイムラプス撮影のカウント音を発音するように指示し、カウント音を鳴らす。
【００３８】
本実施例により、ユーザーに１回目の撮影時の音で合焦判定結果を伝えられ、２回目以降の撮影も順調にすすんでいることを伝える効果が得られる。
【００３９】
［実施例２］
以下、本発明の実施例２による、タイムラプス撮影発音指示処理について特にタイムラプス撮影時の撮影音がシャッター音である場合の発音指示処理について、図４のフローチャートを参照して説明する。システム制御部５０は、ユーザー指示を受けてタイムラプス撮影状態に遷移すると、合焦判定されたか否かを判断する。合焦と判定すると合焦音鳴らすよう発音部５４を制御する（Ｓ４０１、Ｓ４０２）。
【００４０】
システム制御部５０は、第２シャッタースイッチ６２の全押しでタイムラプス撮影を開始すると、タイムラプス撮影開始時は、第２シャッタースイッチ６２の全押しを判断すると即座に撮影指示を行い、撮影を行う。１回目の撮影指示後は、ユーザーによって指定された時間間隔経過をカウントするようにシステムタイマー５３を作動させて、所定時間経過後に撮影を行う。これをユーザーによって指定された回数分の撮影指示を行い撮影を繰り返す。所定回数分の撮影完了、またはユーザー指示によって撮影終了されると撮影終了と判断して、撮影を終了する（Ｓ４０３、Ｓ４０６）。
【００４１】
タイムラプス撮影にて撮影指示があったと判断すると、システム制御部５０は予め不揮発性メモリ５６からシステムメモリ５３に展開しておいたシャッター音データを発音部５４へ通知して、撮影時のシャッター音を鳴らす。このときのシャッター音は、シャッター走行音、ミラーの駆動音を電子的に模した音や、そのほか撮影していることを示せる電子音であり、デジタルカメラ１００が発する合焦時の音とは区別できる電子音である（Ｓ４０４、Ｓ４０５）。
【００４２】
タイムラプス撮影終了指示が発生していれば、撮影を終了する（Ｓ４０６）。これにより、ユーザーには合焦判定結果とタイムラプス撮影が順調にすすんでいることを伝える効果が得られる。
【００４３】
以上、本発明の好ましい実施形態について説明したが、本発明はこれらの実施形態に限定されず、その要旨の範囲内で種々の変形及び変更が可能である。
【符号の説明】
【００４４】
１００…デジタルカメラ
５０…システム制御部
５２…システムメモリ
５４…発音部
５６…不揮発性メモリ
６１…第１シャッター釦
６２…第２シャッター釦
【図１】
2018107560.tif 000003
【図２】
2018107560.tif 000004
【図３】
2018107560.tif 000005
【図４】
2018107560.tif 000006